【事件の表示】
　特願２００９−５２００２３「可変の光学および／またはエネルギー特性を有するガラスタイプの電気化学的な／電気的に制御可能な素子」拒絶査定不服審判事件〔平成２０年　１月２４日国際公開、ＷＯ２００８／００９８５０、平成２１年１２月１７日国内公表、特表２００９−５４４９８７〕について、次のとおり審決する。
【結　論】
　本件審判の請求は、成り立たない。
【理　由】
第１　手続の経緯
　本願は、２００７年７月１７日（パリ条約による優先権主張外国庁受理、２００６年７月２１日、仏国）を国際出願日とする出願であって、平成２２年６月１７日に手続補正及び誤訳訂正がなされ、平成２４年１２月６日及び平成２５年９月１１日付けで手続補正がなされ、平成２６年３月２０日付けの補正の却下の決定により平成２５年９月１１日付け手続補正が却下されるとともに、同日付けで拒絶査定がなされ、これに対して、同年７月２４日に拒絶査定不服審判が請求されると同時に手続補正がなされたものである。
　
第２　平成２６年７月２４日になされた手続補正についての補正却下の決定
〔補正却下の決定の結論〕
　平成２６年７月２４日になされた手続補正を却下する。
　
〔理由〕
１　本件補正の内容
　平成２６年７月２４日になされた手続補正（以下、「本件補正」という。）は、特許請求の範囲及び明細書についてするものである。
（１）特許請求の範囲についての本件補正は、平成２４年１２月６日になされた手続補正によって補正された（以下、「本件補正前」という。）特許請求の範囲に、
「　【請求項１】
　可変の光学および／またはエネルギー特性を有し、エレクトロクロミック層の第１のスタックと結合される導電性層を備える第１のキャリア基板と、エレクトロクロミック層の第２のスタックと結合される導電性層を備える第２のキャリア基板とを含む、電気化学的な／電気的に制御可能な素子であって、前記第１および第２のスタックが、それらの表面の少なくとも一部分の上で、前記第１および第２のスタックの両方を光が通過するように積層され、かつ積層挿入体である電気的に絶縁する手段によって分離さ
れる
　　【請求項２】
　第１および第２のスタックが、同じ供給部から電気を供給されることを特徴とする、請求項１に記載の素子。
　　【請求項３】
　第１および第２のスタックが、直列に電気を供給されることを特徴とする、請求項２に記載の素子。
　　【請求項４】
　第１および第２のスタックが、並列に電気を供給されることを特徴とする、請求項２に記載の素子。
　　【請求項５】
　積層挿入体のそれぞれの面が、第１および第２のスタックとそれぞれ結合される導電性層と結合されることを特徴とする、請求項１に記載の素子。
　　【請求項６】
　第１のスタックおよび第２のスタックが、ＴＣ１／ＥＣ１／ＥＬ／ＥＣ２／ＴＣ２構造を有する「全固体」エレクトロクロミックスタックであることを特徴とする、請求項１に記載の素子。
　　【請求項７】
　電解質機能を有する層ＥＬが、酸化タンタル、酸化タングステン、酸化モリブデン、酸化アンチモン、酸化ニオブ、酸化クロム、酸化コバルト、酸化チタン、酸化スズ、酸化ニッケル、アルミニウムと任意選択で合金された酸化亜鉛、酸化ジルコニウム、酸化アルミニウム、アルミニウムと任意選択で合金された酸化ケイ素、アルミニウムまたはホウ素と任意選択で合金された窒化ケイ素、窒化ホウ素、窒化アルミニウム、アルミニウムと任意選択で合金された酸化バナジウム、酸化スズ亜鉛、任意選択で水素化され、または窒化されたこれらの酸化物のうちの少なくとも１つから選択された材料ベースの少なくとも１つの層を含むことを特徴とする、請求項６に記載の素子。
　　【請求項８】
　エレクトロクロミック層ＥＣ１またはＥＣ２それぞれが、以下の化合物のうちの少なくとも１つ、タングステンＷ、ニオブＮｂ、スズＳｎ、ビスマスＢｉ、バナジウムＶ、ニッケルＮｉ、イリジウムＩｒ、アンチモンＳｂ、タンタルＴａの酸化物を、単独でまたは混合物として含み、任意選択でチタン、レニウム、コバルトなどの追加の金属を含むことを特徴とする、請求項６に記載の素子。
　　【請求項９】
　導電性層ＴＣ１またはＴＣ２が、金属タイプ、もしくはＩｎ２Ｏ３：Ｓｎ（ＩＴＯ）、ＳｎＯ２：Ｆ、ＺｎＯ：Ａｌで形成されているＴＣＯ（透明導電性酸化物）タイプであり、または金属が、具体的には銀、金、白金、銅から選択されるＴＣＯ／金属／ＴＣＯタイプの複数層であり、もしくは金属が同様に、銀、金、白金、銅から選択されるＮｉＣｒ／金属／ＮｉＣｒタイプの複数層であることを特徴とする、請求項６に記載の素子。
　　【請求項１０】
　積層挿入体の各面が、導電性ストリップおよび／または導電性ワイヤ（６）を含む少なくとも１つの導電性層と結合されることを特徴とする、請求項５に記載の素子。
　　【請求項１１】
　得られるコントラスト値が、３８００、５５０、または１４であることを特徴とする、請求項１から１０のいずれか一項に記載の素子。
　　【請求項１２】
　具体的には、可変の光学ならびに／またはエネルギー透過部および／もしくは反射部を備え、プラスチックで形成されている基板、または透明もしくは部分的に透明な基板のうちの少なくとも一部を有し、好ましくは、複数および／もしくは積層グレイジングとして、またはダブルグレイジングとして組み立てられる、請求項１から１１のいずれか一項に記載のエレクトロクロミック素子を含むことを特徴とする、エレクトロクロミックグレイジング。
　　【請求項１３】
　電気化学的素子の層のうちの少なくとも１つが、任意選択で磁場によりアシストされるカソードスパッタリングなど、真空を含む技術によって、熱蒸発もしくは電子ビームによりアシストされる蒸発によって、レーザアブレーションによって、任意選択でプラズマもしくはマイクロ波によりアシストされるＣＶＤによって、または大気圧技術によって、具体的には、ディップタイプ、スプレイコーティングもしくはローラコーティングの、具体的には、ゾル−ゲル合成を使用して層を付着することによって、付着されることを特徴する、請求項１から１１に記載の電気化学的素子。
　　【請求項１４】
　建物向けグレイジング、自動車向けグレイジング、工業用または公共用輸送の鉄道車両、海洋船、航空機向けグレイジング、具体的には、窓、サイドミラー、ミラー、ディスプレイおよびモニタ、画像取得装置のためのシャッタとして、請求項１２に記載のグレイジングの使用。」とあったものを、
　
「　【請求項１】
　可変の光学および／またはエネルギー特性を有し、エレクトロクロミック層の第１のスタックと結合される導電性層を備える第１のキャリア基板と、エレクトロクロミック層の第２のスタックと結合される導電性層を備える第２のキャリア基板とを含む、電気化学的な／電気的に制御可能な素子であって、前記第１および第２のスタックが、それらの表面の少なくとも一部分の上で、前記第１および第２のスタックの両方を光が通過するように積層され、積層挿入体である電気的に絶縁する手段によって分離さ
れ、
　
第１および第２のスタックが、同じ供給部から電気を供給され、
　
電気的に絶縁する手段が、積層挿入体であって、積層挿入体のそれぞれの面が、第１および第２のスタックとそれぞれ結合される導電性層と結合され、
　
第１のスタックおよび第２のスタックが、ＴＣ１／ＥＣ１／ＥＬ／ＥＣ２／ＴＣ２構造を有する「全固体」エレクトロクロミックスタックである
　　【請求項２】
　第１および第２のスタックが、直列に電気を供給されることを特徴とする、請求項１に記載の素子。
　　【請求項３】
　第１および第２のスタックが、並列に電気を供給されることを特徴とする、請求項１に記載の素子。
　　【請求項４】
　電解質機能を有する層ＥＬが、酸化タンタル、酸化タングステン、酸化モリブデン、酸化アンチモン、酸化ニオブ、酸化クロム、酸化コバルト、酸化チタン、酸化スズ、酸化ニッケル、アルミニウムと任意選択で合金された酸化亜鉛、酸化ジルコニウム、酸化アルミニウム、アルミニウムと任意選択で合金された酸化ケイ素、アルミニウムまたはホウ素と任意選択で合金された窒化ケイ素、窒化ホウ素、窒化アルミニウム、アルミニウムと任意選択で合金された酸化バナジウム、酸化スズ亜鉛、任意選択で水素化され、または窒化されたこれらの酸化物のうちの少なくとも１つから選択された材料ベースの少なくとも１つの層を含むことを特徴とする、請求項１に記載の素子。
　　【請求項５】
　エレクトロクロミック層ＥＣ１またはＥＣ２それぞれが、以下の化合物のうちの少なくとも１つ、タングステンＷ、ニオブＮｂ、スズＳｎ、ビスマスＢｉ、バナジウムＶ、ニッケルＮｉ、イリジウムＩｒ、アンチモンＳｂ、タンタルＴａの酸化物を、単独でまたは混合物として含み、任意選択でチタン、レニウム、コバルトなどの追加の金属を含むことを特徴とする、請求項１に記載の素子。
　　【請求項６】
　導電性層ＴＣ１またはＴＣ２が、金属タイプ、もしくはＩｎ２Ｏ３：Ｓｎ（ＩＴＯ）、ＳｎＯ２：Ｆ、ＺｎＯ：Ａｌで形成されているＴＣＯ（透明導電性酸化物）タイプであり、または金属が、具体的には銀、金、白金、銅から選択されるＴＣＯ／金属／ＴＣＯタイプの複数層であり、もしくは金属が同様に、銀、金、白金、銅から選択されるＮｉＣｒ／金属／ＮｉＣｒタイプの複数層であることを特徴とする、請求項１に記載の素子。
　　【請求項７】
　積層挿入体の各面が、導電性ストリップおよび／または導電性ワイヤ（６）を含む少なくとも１つの導電性層と結合されることを特徴とする、請求項１に記載の素子。
　　【請求項８】
　得られるコントラスト値が、３８００、５５０、または１４であることを特徴とする、請求項１から７のいずれか一項に記載の素子。
　　【請求項９】
　具体的には、可変の光学ならびに／またはエネルギー透過部および／もしくは反射部を備え、プラスチックで形成されている基板、または透明もしくは部分的に透明な基板のうちの少なくとも一部を有し、好ましくは、複数および／もしくは積層グレイジングとして、またはダブルグレイジングとして組み立てられる、請求項１から８のいずれか一項に記載のエレクトロクロミック素子を含むことを特徴とする、エレクトロクロミックグレイジング。
　　【請求項１０】
　電気化学的素子の層のうちの少なくとも１つが、任意選択で磁場によりアシストされるカソードスパッタリングなど、真空を含む技術によって、熱蒸発もしくは電子ビームによりアシストされる蒸発によって、レーザアブレーションによって、任意選択でプラズマもしくはマイクロ波によりアシストされるＣＶＤによって、または大気圧技術によって、具体的には、ディップタイプ、スプレイコーティングもしくはローラコーティングの、具体的には、ゾル−ゲル合成を使用して層を付着することによって、付着されることを特徴とする、請求項１から８に記載の電気化学的素子。
　　【請求項１１】
　建物向けグレイジング、自動車向けグレイジング、工業用または公共用輸送の鉄道車両、海洋船、航空機向けグレイジング、具体的には、窓、サイドミラー、ミラー、ディスプレイおよびモニタ、画像取得装置のためのシャッタとして、請求項９に記載のグレイジングの使用。」と補正するものである（下線は審決で付した。以下同じ。）。
　
（２）特許請求の範囲についての本件補正は、次のアないしエの補正からなるものである。
　ア　本件補正前の請求項１を削除するとともに、本件補正前の請求項２を引用形式から他の請求項の記載を引用しない書き下した形にして新たな請求項１とする補正。
　イ　新たな請求項１（本件補正前の請求項２）の「積層挿入体」について、本件補正前の請求項５の「積層挿入体のそれぞれの面が、第１および第２のスタックとそれぞれ結合される導電性層と結合される」ことを限定するとともに、本件補正前の請求項５を削除する補正。
　ウ　新たな請求項１（本件補正前の請求項２）の「第１のスタック」及び「第２のスタック」について、本件補正前の請求項６の「ＴＣ１／ＥＣ１／ＥＬ／ＥＣ２／ＴＣ２構造を有する「全固体」エレクトロクロミックスタックである」ことを限定するとともに、本件補正前の請求項６を削除する補正。
　エ　上記アないしウの補正に伴い、本件補正前の請求項３、４、７ないし１４をそれぞれ新たな請求項２ないし１１とする補正。
　
２　本件補正の目的
（１）上記１（２）アないしウの補正は、特許法第１７条の２第５項第１号に掲げる「請求項の削除」を目的とするものである。
（２）上記１（２）イの補正は、本件補正前の請求項２において本件補正前の請求項１の記載を引用して記載されていた「積層挿入体」について、願書に最初に添付された明細書、特許請求の範囲又は図面（以下、「当初明細書等」という。）の【請求項５】の記載に基づいて、「積層挿入体のそれぞれの面が、第１および第２のスタックとそれぞれ結合される導電性層と結合される」ことを限定するものである。
（３）上記１（２）ウの補正は、本件補正前の請求項２において本件補正前の請求項１の記載を引用して記載されていた「第１のスタック」及び「第２のスタック」について、当初明細書等の【請求項６】の記載に基づいて「ＴＣ１／ＥＣ１／ＥＬ／ＥＣ２／ＴＣ２構造を有する「全固体」エレクトロクロミックスタックである」ことを限定するものである。
（４）上記（１）ないし（３）からみて、本件補正後の請求項１は、特許法第１７条の２第３項に規定する要件を満たし、また、本件補正前の請求項２に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　そこで、本件補正後の請求項１に係る発明（以下、「本願補正発明」という。）が、特許出願の際独立して特許を受けることができるものであるか（特許法第１７条の２第６項において準用する同法第１２６条第７項の規定に適合するか）について以下検討する。
　
３　引用例
（１）本願の優先権主張の日（以下、「優先日」という。）前に頒布され、原査定の拒絶の理由に引用文献１として引用され、平成２６年３月２０日付けの補正の却下の決定の理由に引用文献２として引用された刊行物である実願平３−５８０２４号（実開平５−１１１３１号）のＣＤ−ＲＯＭ（審決注：原査定あるいは補正の却下の決定では「実願平３−５８０２４号（実開平５−１１１３１号）の
マイクロフィルム
ＣＤ−ＲＯＭ
　
　ア　「【０００１】
　　【産業上の利用分野】
　本考案は自動車用の防眩ミラーに係り、特に
ＥＣ式の防眩ミラー
　【０００２】
　【従来の技術】
　自動車用のミラー類（インサイドミラー，アウトサイドミラー，ドアミラー）は、後方視界を確認して安全運転を行う為に不可欠のものであるが、後続車のライトなどの強い光が反射されると眩惑を感じるという支障を生じる。
　この眩惑を軽減させるため、夜間においてはミラーの反射率を減少させることが有効である。
　こうした目的で、反射率を２段階に変化せしめ得る構造の防眩ミラーが用いられる。
　従来一般に、プリズム式防眩ミラー、及び、液晶式防眩ミラーが実用化されており、更に
エレクトロクロミズム（以下、ＥＣと略称する）を利用したＥＣ式防眩ミラー
　
図２は従来例のＥＣ式防眩ミラーの断面を描いた説明図
　
ガラス基板１の上に第１電極として透明導電層２を設ける。材質としては、例えばＩＴＯ（インヂュウム・スズ・酸化物），ＳｎＯ
2
が用いられる
　
更にその上に、還元反応によって着色するＥＣ（例えばＷＯ
3
，ＭｏＯ
3
）の第１ＥＣ層３，電解質層（例えばＴａ
2
Ｏ
5
，ＺｒＯ
2
，ＳｉＯ
2
）４、酸化反応によって着色するＥＣ（例えばＣｒ
2
Ｏ
3
，ＮｉＯ，ＩｒＯ
2
）の第２ＥＣ層５、第２電極兼反射層（材質はＡｌ，Ａｇなど）６が順次に成層され、その上を電気絶縁性の接着兼保護層７及びガラス製保護基板８で覆われている
　
前記の第１電極２と第２電極６との間に直流電圧（０.５〜２.０Ｖ程度）を印加し、その極性を切り替えると、第１，第２ＥＣ層内で電気化学的に酸化，還元反応が行われて、第１ＥＣ層３および第２ＥＣ層５が着色したり消色したりする
　上記の着，消色反応は、製造の過程で第１ＥＣ層３，電解質層４，第２ＥＣ層５に封じ込められた水分と、第１，第２ＥＣ層との間で行われる次記の電気化学的反応である。
　ＷＯ3＋ｘＨ＋ｘｅ←→Ｈｘ・ＷＯ3　　　……(1)
　Ｉｒ＋ｘＯＨ−ｘｅ←→Ｉｒ(ＯＨ)ｘ　　……(2)
　上記（１）式左辺のＷＯ3は透明、右辺のＨｘ・ＷＯ3は青色である。
　また（２）式左辺のＩｒは３価イオンで透明、右辺のＩｒ(ＯＨ)ｘは灰色である。
　
この着色，消色によって通過光の吸収率が変化し、ミラーとしての機能について見ると反射率が変化する
　上記の着色，消色を制御するため、透明導電層２，２′に対して、ハンダ９により配線１０ａ，１０ｂが接続され、切替スイッチ１１を介して直流電源１２に接続される。
　第１電極と第２電極との間に電圧を印加するため、ガラス基板１上に成膜した透明導電層に、エッチングを施してエッチング帯（エッチングによって透明導電層が除去された帯状部分）２ｃを構成し、第１電極としての透明導電層２ａと、第２電極取出用透明電極層２ｂとに区分される。
　切替スイッチ１１を操作して前掲の（１），（２）式の可逆反応を左方へ進行させて消色させると、図３の（Ａ）に示したように高反射率の（通常の）ミラーとなる。
　また、前記切替スイッチ１１を操作して（１），（２）式の可逆反応を右方へ進行させて消色させると、図３の（Ｂ）に示したように低反射率の防眩状態となる（防眩状態であることを、図に描いたミラーの反射面に斑点を付して示してある）。」
　
　イ　「【０００３】
　　【考案が解決しようとする課題】
　以上に説明した従来例のＥＣ防眩ミラーにおいては、第１ＥＣ層と第２ＥＣ層とにおいて、前記の（１），（２）式のごとく着色，消色反応が行われるが、
発色を濃くしようとすると高電圧を印加しなければならない
　
しかし、高電圧を印加するとＥＣ素子の耐久性が低下する
　本考案は上述の事情に鑑みて為されたもので、
高電圧を印加しなくても濃い発色（強度の防眩）が得られ、スイッチ操作によって濃淡多段の発色（強弱多段の防眩）が得られる、しかも発色，消色にむらを生じない自動車用のＥＣ防眩ミラーを提供することを目的とする
　【０００４】
　　【課題を解決するための手段】
　上記の目的を達成するための構成として、本考案に係るＥＣ防眩ミラーは、
　
透明な基板を挟んでその両面にそれぞれ成層した第１の透明導電層と
　
上記それぞれの透明導電層の上にそれぞれ成層した第１のＥＣ層と、
　
上記それぞれのＥＣ層の上にそれぞれ成層した電解質層と、
　
上記それぞれの電解質層の上にそれぞれ成層した第２のＥＣ層と、
　
上記それぞれの第２ＥＣ層の上にそれぞれ成層された第２の導電層と、を具備しており
　
前記透明な基板の両側にそれぞれ設けられている各対の第１透明導電層と第２導電層とに対して、相互に独立に直流電圧を印加し得るスイッチ機構が設けられていて
　
上記の構成における１対の第１透明電極層を挟みつける第１のクリップと、それぞれの第２の導電層の片方を挟みつける第２のクリップと、該第２の導電層の他方を挟みつける第３のクリップとを設け、
　上記第１，第２，第３のクリップを等長に構成して透明基板の周囲に配設した
　【０００５】
　　【作用】
　上記の構成によれば、透明な基板（例えばガラス板）を挟んで対称に１対の電解質層が配置され、かつ、それぞれの電解質層の両側に第１，第２のＥＣ層が配設されている。
　要するに、従来形のＥＣ防眩ミラーの構成要素（ＥＣ素子）が二つ重ね合わされている。
　このため、二つ重ね合わされたそれぞれのＥＣ素子に比較的低電圧を加えて弱い着色を行わせても、これらが重なり合っているため強い防眩効果（低い反射率）が得られる。
　かつ、第１，第２，第３のクリップが等長なので、防眩ミラーの発色むらや消色むらを生じるおそれが無い。」
　
　ウ　「【０００６】
　　【実施例】
　図４は本考案に係る
ＥＣ防眩ミラー
　【０００７】
外部の光は矢印ｅのように入射し、反射して矢印ｆのように出射する。従って、図の上方がミラーとして裏側であり、図の下方が表側である。
　
透明ガラス基板２０を挟んで、ほぼ対称に、裏側ＥＣ素子２１と表側ＥＣ素子３１とが配置され
　
裏側ＥＣ素子２１だけを抽出して観察すると、図２に示した従来例のＥＣ防眩ミラーと類似の構造である
　すなわち、
透明ガラス基板２０の裏側に、第１透明導電層２２，第１ＥＣ層２３，電解質層２４，第２電極兼反射層２６，接着剤よりなる保護層２７，および保護基板２８が順次に成層されて裏側ＥＣ素子２１を構成し
　そして、
前記透明ガラス基板２０の表側には、第１透明導電層３２，第１ＥＣ層３３，電解質層３４，第２ＥＣ層３５，第２透明導電層３６，接着剤よりなる保護層３７，および透明保護基板３８が順次に成層されて表側ＥＣ素子３１を構成
　前記表，裏のＥＣ素子３１，２１はほぼ対称の構成であるが、次のように異っている。
　第２電極兼反射層２６は光学的に反射性の部材であるが、第２透明導電層３６は透明な部材であって、矢印ｅの入射光および矢印ｆの反射光を通過させる機能を有している。
　保護基板２８は透明体であっても不透明体であっても良いが、透明保護基板３８は透明な部材であって、矢印ｅの入射光および矢印ｆの反射光を通過させる機能を有している。
　スイッチＳＷは単極４接点形の切替スイッチであって、固定接点ａ，ｂ，ｃ，ｄを有している。
　第２電極兼反射層２６はダイオードＤ1を逆方向に介して固定接点ｄに、該ダイオードＤ1を介せず直接的に固定接点ｃに、それぞれ接続されている。
　第２透明導電層３６はダイオードＤ2を逆方向に介して固定接点ｄに、該ダイオードＤ2を介せず直接的に固定接点ｂに、それぞれ接続されている。
　第２電極兼反射層２６と第１透明導電層２２とは固定抵抗Ｒ1を介して接続され、第２透明導電層３６と第１透明導電層３２とは固定抵抗Ｒ2を介して接続されている。
　第１透明導電層２２および第１透明導電層３２は直流電源４１の陰極側に接続され、該直流電源４１の陽極はスイッチＳＷの可動接片に接続されている。
　本実施例においては、裏側ＥＣ素子２１と表側ＥＣ素子３１とに同一電圧を印加した場合、表側ＥＣ素子３１よりも裏側ＥＣ素子２１の方が強い防眩効果を生じるように（透過率が低くなるように）構成してある。
　以上のように構成された本例のＥＣ防眩ミラーの作用について次に述べる。
　
　・・・略・・・
　
　さらに
図７のようにスイッチＳＷを固定接点ｄに操作すると、裏側ＥＣ素子２１に対してはダイオードＤ
1
を順方向に介して駆動電圧が印加され、表側ＥＣ素子３１に対してはダイオードＤ
2
を順方向に介して駆動電圧が印加され、双方のＥＣ素子２１，３１がともに発色するので強い防眩状態（反射率最小の状態）となる
　以上説明したように本実施例のＥＣ防眩ミラーは、
直流電源４１のみを駆動源として別段の高電圧を用いず
　図８は、図１に示した実施例における第１透明導電層２２，３２の接続部分の概要を模式的な実体配線図として描いたものである。
　導電性材料（例えば燐青銅）製のクリップ５０を構成して、透明ガラス基板２０の両面に成層されている１対の第１透明導電層２２，同３２を挟みつけて導通させる。
　上記クリップ５０を直流電源４１の陰極に接続するとともに、該クリップ５０と第２電極兼反射層２６との間に固定抵抗Ｒ1を接続し、かつ、該クリップ５０と第２透明導電層３６との間に固定抵抗Ｒ2を接続する。
　前掲の図４とこの図８とは電気的な接続導通関係が同じであるが、１対の第１透明導電層２２，３２のそれぞれに個別に電線を接続することなく、同一のクリップ５０で一緒に挟みつけて、このクリップ５０を介して配線すると、該１対の第１透明導電層２２，３２の取出口における接触導通条件が同じになり、発，消色の色ムラや時間ムラを生じるおそれなく、安定してバランスの良い発，消色作用が遂行される。
　さらに、図４の配線状態に比して図８の配線状態は配線の本数が少なく、構造が簡単で配線作業が容易である。その結果として組立コストが低減されるのみでなく、万一の配線ミスの発生確率が少なくなる。・・・」
　
　エ　「【図７】
」
　
　オ　上記エの図７は、スイッチＳＷを固定接点ｄに操作すると、裏側ＥＣ素子２１に対してはダイオードＤ1を順方向に介して駆動電圧が印加され、表側ＥＣ素子３１に対してはダイオードＤ2を順方向に介して駆動電圧が印加され、双方のＥＣ素子２１，３１がともに発色するので強い防眩状態（反射率最小の状態）となった状態を示す図であり、当該図７の記載及び上記ウの【０００７】の下線部の記載からみて、
裏側ＥＣ素子２１及び表側ＥＣ素子３１は、直流電源４１のみを駆動源とし別段の高電圧を用いないで、駆動電圧が印加されている
第２ＥＣ層２５
　
　カ　上記アないしオから、引用例１には次の発明が記載されているものと認められる。
「従来、エレクトロクロミズム（以下、ＥＣと略称する）を利用したＥＣ式防眩ミラーは、ガラス基板１の上に第１電極として透明導電層２を設け、材質としては、例えばＩＴＯ（インヂュウム・スズ・酸化物）、ＳｎＯ2が用いられ、更にその上に、還元反応によって着色するＥＣ（例えばＷＯ3、ＭｏＯ3）の第１ＥＣ層３、電解質層（例えばＴａ2Ｏ5、ＺｒＯ2、ＳｉＯ2）４、酸化反応によって着色するＥＣ（例えばＣｒ2Ｏ3、ＮｉＯ、ＩｒＯ2）の第２ＥＣ層５、第２電極兼反射層（材質はＡｌ、Ａｇなど）６が順次に成層され、その上を電気絶縁性の接着兼保護層７及びガラス製保護基板８で覆われており、前記の第１電極２と第２電極６との間に直流電圧（０.５〜２.０Ｖ程度）を印加し、その極性を切り替えると、第１、第２ＥＣ層内で電気化学的に酸化、還元反応が行われて、第１ＥＣ層３および第２ＥＣ層５が着色したり消色したりし、この着色、消色によって通過光の吸収率が変化し、ミラーとしての機能について見ると反射率が変化するものであり、この従来例は、発色を濃くしようとすると高電圧を印加しなければならないが、高電圧を印加するとＥＣ素子の耐久性が低下するという問題があったので、
　高電圧を印加しなくても濃い発色（強度の防眩）が得られ、スイッチ操作によって濃淡多段の発色（強弱多段の防眩）が得られ、しかも発色、消色にむらを生じない自動車用のＥＣ防眩ミラーを提供することを目的として、
　透明な基板を挟んでその両面にそれぞれ成層した第１の透明導電層と、
　上記それぞれの透明導電層の上にそれぞれ成層した第１のＥＣ層と、
　上記それぞれのＥＣ層の上にそれぞれ成層した電解質層と、
　上記それぞれの電解質層の上にそれぞれ成層した第２のＥＣ層と、
　上記それぞれの第２ＥＣ層の上にそれぞれ成層された第２の導電層と、を具備し、
　前記透明な基板の両側にそれぞれ設けられている各対の第１透明導電層と第２導電層とに対して、相互に独立に直流電圧を印加し得るスイッチ機構を設け、
　上記の構成における１対の第１透明電極層を挟みつける第１のクリップと、それぞれの第２の導電層の片方を挟みつける第２のクリップと、該第２の導電層の他方を挟みつける第３のクリップとを設け、
　上記第１、第２、第３のクリップを等長に構成して透明基板の周囲に配設することにより、上記目的を達成した、ＥＣ式防眩ミラーであって、
　具体的には、透明ガラス基板２０を挟んで、ほぼ対称に、裏側ＥＣ素子２１と表側ＥＣ素子３１とが配置され、
　透明ガラス基板２０の裏側に、第１透明導電層２２、第１ＥＣ層２３、電解質層２４、第２ＥＣ層２５、第２電極兼反射層２６、接着剤よりなる保護層２７、および保護基板２８が順次に成層されて裏側ＥＣ素子２１が構成され、
　前記透明ガラス基板２０の表側には、第１透明導電層３２、第１ＥＣ層３３、電解質層３４、第２ＥＣ層３５、第２透明導電層３６、接着剤よりなる保護層３７、および透明保護基板３８が順次に成層されて表側ＥＣ素子３１が構成され、
　裏側ＥＣ素子２１及び表側ＥＣ素子３１は、直流電源４１のみを駆動源とし別段の高電圧を用いないで、駆動電圧が印加されている、
　ＥＣ式防眩ミラー。」（以下、「引用発明」という。）
　
（２）本願の優先日前に頒布され平成２６年３月２０日付けの補正の却下の決定の理由に引用文献１として引用された刊行物である特表平４−５０７００６号公報（以下、「引用例２」という。）」には、次の事項が図とともに記載されている。
　ア　「本発明の他の態様として、図２に具体的に示すように、
エレクトロクロミック素子２８は、インジウム錫酸化物又はフッ素ドープ錫酸化物である第１透明導電電極３０
第１無機エレクトロクロミック層３２
エチレンオキシド、ブチレンオキシド及びアリルグリシジルエーテルのターポリマー並びに少くとも１つのイオン化できる塩を含む固体重合体電解質又はポリウレタンゲル、及び少くとも１つのイオン化できる塩を含む固体重合体電解質である電解質の第１イオン導電性層３４
第１非晶質無機エレクトロクロミックカウンター電極層３６
インジウム錫酸化物又はフッ素ドープ錫酸化物である第２透明導電電極３８
ガラス又はプラスチックである透明支持体４０
インジウム錫酸化物又はフッ素ドープ錫酸化物である第３透明導電性電極４２
第２非晶質無機エレクトロクロミックカウンター電極層４４
電解質の第２イオン導電性層４６
ＷＯ
３
、Ｍｏｂ、又はＴｉＯ
２
である第２無機エレクトロクロミック層４８
透明又は反射性である第４導電性電極５０、を有している
第１及び第２無機エレクトロクロミック層３２及び４８は、好ましくは第１及び第２非晶質無機エレクトロクロミックカランター電極層３６及び４４と異なるものである。
第１及び第２無機エレクトロクロミック層３２及び４８、並びに第１及び第２非晶質無機エレクトロクロミックカウンター電極層３６及び４４は、好ましくは本発明において既に述べたような、イオンを注入することによって、エレクトロクロミック特性を示すことのできるものである。
第１及び第２無機エレクトロクロミック層３２及び４８のエレクトロクロミック特性は、好ましくは第１及び第２非晶質無機エレクトロクロミックカウンター電極層３６及び４４のエレクトロクロミック特性の補色である。
本発明の範囲においては、
エレクトロクロミック素子２８は、ガラス又はプラスチックの如き透明支持体物質２２及び２４の２つの層の間に置かれる
　本発明によると、エレクトロクロミック素子２８は、第１透明支持体２２又は２４の上に導電性電極物質の層をスパッターして第１透明導電性電極３０を形成し、次いで第１透明導電性電極３０の上に第１無機エレクトロクロミック物質の層をスパッターして第１無機エレクトロクロミック層３２を形成する。
同様に、第４導電性電極５０及び第２無機エレクトロクロミック層４８は、第２ガラス支持体２２又は２４の上に形成することができる。
第３ガラス支持体４０は、第２透明導電性電極３８及び第１非晶質無機エレクトロクロミックカウンター電極層３６を一面にスパッターし、そして第３透明導電性電極４２及び第２非晶質無機エレクトロクロミックカウンター電極層４４を他の面にスパッターする。
電解質の第１イオン導電性層３４は、第１ガラス支持体２２又は２４のスパッター面、及び第３ガラス支持体４０のいづれかの面との間で組み合わせる。
電解質４６の第２イオン導電性層は、第２ガラス支持体２２又は２４のスパッター面、及び第３ガラス支持体４０の他の面との間で組み合せてエレクトロクロミック素子２８を形成する。
　第２無機エレクトロクロミック層１８における遷移金属としてのＮｉ及び送入イオンとしてのＬｉイオンを用いる本発明のエレクトロクロミック素子は、２０〜２５ｍＣ／ｃｍ２のイオン交換を達成する。本発明のエレクトロクロミック素子は、無色及び着色の各工程を完全に繰り返しながら、苛酷の条件のもとで１０，０００工程以上の耐久性があることを示した。
図１の素子を使用した場合、本発明のエレクトロクロミック素子の伝送における変化は、３０〜３５％から約８５％の範囲の可視光の伝達を行い、そしてまた図２の素子を使用した場合、３〜５％から５５〜６０％の範囲の可視光の伝達を行った。
本発明のエレクトロクロミック素子の変化時間、例えば着色状態から無色状態への要する時間は、１から１０分の範囲である。」（１０頁右下欄２行〜１１頁右上欄２３行）
　イ　上記アから、引用例２には次の事項が記載されているものと認められる。
　「ガラス又はプラスチックの如き透明支持体物質２２及び２４の２つの層の間に置かれ、
　インジウム錫酸化物又はフッ素ドープ錫酸化物である第１透明導電電極３０、第１無機エレクトロクロミック層３２、エチレンオキシド、ブチレンオキシド及びアリルグリシジルエーテルのターポリマー並びに少くとも１つのイオン化できる塩を含む固体重合体電解質又はポリウレタンゲル、及び少くとも１つのイオン化できる塩を含む固体重合体電解質である電解質の第１イオン導電性層３４、第１非晶質無機エレクトロクロミックカウンター電極層３６、インジウム錫酸化物又はフッ素ドープ錫酸化物である第２透明導電電極３８、ガラス又はプラスチックである透明支持体４０、インジウム錫酸化物又はフッ素ドープ錫酸化物である第３透明導電性電極４２、第２非晶質無機エレクトロクロミックカウンター電極層４４、電解質の第２イオン導電性層４６、ＷＯ３、Ｍｏｂ、又はＴｉＯ２である第２無機エレクトロクロミック層４８、及び透明又は反射性である第４導電性電極５０、を有する、
　エレクトロクロミック素子。」（以下、「引用例２の記載事項」という。）
　
（３）周知の事項
　ア　上記引用例２（特表平４−５０７００６号公報）の記載
　引用例２には次の記載がある。
　（ア）「図１に具体的に示した如き本発明に従えば、イオン導電層２０は、第１及び第２無機エレクトロクロミック層１６及び１８の間に重ねて置かれる。
イオン導電層２０は、好ましくは固体重合体電解質であって
　（イ）「本発明に従えば、イオン導電層２０は、ＬｉＣｌＯ４−プロピレンカーボネートの如き液状電解質を使用しても良い。
しかしながら、
固体重合体は、エレクトロクロミック装置を組み立てるには、その扱いがずっと容易であり
イオン導電性層２０に固体重合体電解質を用いることは、液状電解質より好ましい。
　
　イ　国際公開第２００６／０１８５６８号の記載
　国際公開第２００６／０１８５６８号（以下、「周知例１」という。）は、本願の優先日前に頒布された刊行物であって、当該周知例１には次の記載がある。なお、周知例１の日本語ファミリー文献である特表２００８−５０６９９８号公報の記載を援用して、日本語訳を記載した。
　「Lorsque tous les elements constituants le systeme electrochrome sont de nature inorganique on parle de systemes 'tout-solide', tels que ceux decrits dans le brevet EP-0 867 752. 」（３頁３〜５行）
　（日本語訳）
　「
エレクトロクロミックシステムを作成する全要素が無機の性質であるとき
「全固体」システムと呼ばれる
　
　ウ　特表２００２−５４０４５９号公報の記載
　特表２００２−５４０４５９号公報（以下、「周知例２」という。）は、本願の優先日前に頒布された刊行物であって、当該周知例２には次の記載がある。
　（ア）「【０００９】
　・・・略・・・
　・　
電解質が、イオン伝導性であるが電気的に絶縁性である無機層； これらのシステムは「全固体」(
all-solid
)エレクトロクロミックシステム
　（イ）「【００３８】
　・・・略・・・
　実施例２
　図２は、本発明によるエレクトロクロミックガラスの１つの態様を示す：これは、積層構造およいガラスペーン２枚を有するエレクトロクロミックガラスであり、たとえば自動車のサンルーフにおけるガラスに用いられるために適用される形状である：２枚の透明ガラス２１および２２かが示され、続く機能性層の積み重ねにより形成される
「全固体」型のエレクトロクロミック機能性システム２３
　
　エ　引用例２、周知例１及び２から把握される周知の事項
　上記アないしウからみて、本願の優先日前に、エレクトロクロミックシステムにおいて、全固体型のものは周知（以下、「周知技術」という。）であったと認められる。
　
４　対比
　本願補正発明と引用発明とを対比する。
（１）引用発明の「『第１透明導電層』、『第２透明導電層』又は『第２電極兼反射層』」、「『第１ＥＣ層』又は『第２ＥＣ層』」、「電解質層」及び「『第１ＥＣ層』、『電解質層』及び『第２ＥＣ層』」は、それぞれ本願補正発明の「『導電性層』、『ＴＣ１』又は『ＴＣ２』」、「『ＥＣ１』又は『ＥＣ２』」、「ＥＬ」及び「『エレクトロクロミック層の第１のスタック』又は『エレクトロクロミック層の第２のスタック』」に相当する。
　
（２）本願補正発明の「素子」は、「グレイジングタイプ」の「具体的には、窓、サイドミラー、ミラー、ディスプレイおよびモニタ、画像取得装置のためのシャッタ」として使用される「素子」である（本願明細書【０００１】、【００２３】）ことに照らせば、エレクトロクロミズム（ＥＣ）を利用したＥＣ式防眩ミラーである引用発明のミラーが「素子」であるといえるから、引用発明の「ＥＣ式防眩ミラー」は、本願補正発明の「素子」に相当する。
　
（３）引用発明は、第１電極と第２電極との間に直流電圧を印加し、その極性を切り替えると、第１、第２ＥＣ層内で電気化学的に酸化、還元反応が行われて、第１ＥＣ層および第２ＥＣ層が着色したり消色したりするものであり、この着色、消色によって通過光の吸収率が変化し、ミラーとしての機能について見ると反射率が変化するものであるから、引用発明の「素子（ＥＣ式防眩ミラー）」と、本願補正発明の「素子」とは、「可変の光学および／またはエネルギー特性を有」し、「電気化学的な／電気的に制御可能な」ものである点で一致する。
　
（４）引用発明は、透明ガラス基板２０を挟んで、ほぼ対称に、裏側ＥＣ素子２１と表側ＥＣ素子３１とが配置され、透明ガラス基板２０の裏側に、「導電性層（第１透明導電層２２）」、「エレクトロクロミック層の第１のスタック（第１ＥＣ層２３、電解質層２４、第２ＥＣ層２５）」、「導電性層（第２電極兼反射層２６）」、接着剤よりなる保護層２７、および保護基板２８が順次に成層されて裏側ＥＣ素子２１が構成されており、前記透明ガラス基板２０の表側には、「導電性層（第１透明導電層３２）」、「エレクトロクロミック層の第２のスタック（第１ＥＣ層３３、電解質層３４、第２ＥＣ層３５）」、「導電性層（第２透明導電層３６）」、接着剤よりなる保護層３７、および透明保護基板３８が順次に成層されて表側ＥＣ素子３１が構成されるものである。
　してみると、引用発明の各「導電性層」は、「エレクトロクロミック層の第１のスタック」又は「エレクトロクロミック層の第２のスタック」と電気的且つ物理的に結合されていることは当業者に自明であり、引用発明の「保護基板」及び「透明保護基板」は、「エレクトロクロミック層の第１のスタック」又は「エレクトロクロミック層の第２のスタック」と結合される「導電性層」を備える「基板」といえるから、引用発明の「保護基板」及び「透明保護基板」と、本願補正発明の「第１キャリア基板」及び「第２キャリア基板」とは、それぞれ「第１の基板」及び「第２の基板」である点で一致する。
　そうすると、引用発明の「素子（ＥＣ式防眩ミラー）」と、本願補正発明の「素子」とは、「エレクトロクロミック層の第１のスタックと結合される導電性層を備える第１の基板と、エレクトロクロミック層の第２のスタックと結合される導電性層を備える第２の基板とを含む」点で一致するといえる。
　
（５）引用発明は、第１ＥＣ層および第２ＥＣ層が着色したり消色したりし、この着色、消色によって通過光の吸収率が変化するもので、且つ、透明ガラス基板２０を挟んで、ほぼ対称に、「エレクトロクロミック層の第１のスタック（第１ＥＣ層２３、電解質層２４、第２ＥＣ層２５）」を含む裏側ＥＣ素子２１と「エレクトロクロミック層の第２のスタック（第１ＥＣ層３３、電解質層３４、第２ＥＣ層３５）」を含む表側ＥＣ素子３１とが配置されているものであり、透明ガラス基板２０が「エレクトロクロミック層の第１のスタック」と「エレクトロクロミック層の第２のスタック」との間に挿入されて積層されている状態で位置し、両「スタック」を電気的に絶縁且つ分離していることは明らかであるから、引用発明の「透明ガラス基板２０」が、本願補正発明の「積層挿入体」に相当し、また、引用発明の「素子（ＥＣ式防眩ミラー）」と、本願補正発明の「素子」とは、「第１および第２のスタックが、それらの表面の少なくとも一部分の上で、前記第１および第２のスタックの両方を光が通過するように積層され、積層挿入体である電気的に絶縁する手段によって分離され」ている点で一致する。
　
（６）引用発明は、「エレクトロクロミック層の第１のスタック（第１ＥＣ層２３、電解質層２４、第２ＥＣ層２５）」を含む裏側ＥＣ素子２１及び「エレクトロクロミック層の第２のスタック（第１ＥＣ層３３、電解質層３４、第２ＥＣ層３５）」を含む表側ＥＣ素子３１は、直流電源４１のみを駆動源とし別段の高電圧を用いないで、駆動電圧が印加されているから、引用発明の「素子（ＥＣ式防眩ミラー）」と、本願補正発明の「素子」とは、「第１および第２のスタックが、同じ供給部から電気を供給され」ている点で一致する。
　
（７）引用発明は、上記（４）でも示したように、透明ガラス基板２０を挟んで、ほぼ対称に、裏側ＥＣ素子２１と表側ＥＣ素子３１とが配置され、透明ガラス基板２０の裏側に、「導電性層（第１透明導電層２２）」、「エレクトロクロミック層の第１のスタック（第１ＥＣ層２３、電解質層２４、第２ＥＣ層２５）」、「導電性層（第２電極兼反射層２６）」、接着剤よりなる保護層２７、および保護基板２８が順次に成層されて裏側ＥＣ素子２１が構成されており、前記透明ガラス基板２０の表側には、「導電性層（第１透明導電層３２）」、「エレクトロクロミック層の第２のスタック（第１ＥＣ層３３、電解質層３４、第２ＥＣ層３５）」、「導電性層（第２透明導電層３６）」、接着剤よりなる保護層３７、および透明保護基板３８が順次に成層されて表側ＥＣ素子３１が構成されるものである。
　そうすると、引用発明において、各「導電性層（第１透明導電層２２、第１透明導電層３２）」が「エレクトロクロミック層の第１のスタック（第１ＥＣ層２３、電解質層２４、第２ＥＣ層２５）」及び「エレクトロクロミック層の第２のスタック（第１ＥＣ層３３、電解質層３４、第２ＥＣ層３５）」のそれぞれと電気的且つ物理的に結合されていることは明らかであり、「積層挿入体（透明ガラス基板２０）」が電気的に絶縁する手段であることから、各「導電性層」が「積層挿入体」と電気的に結合することはないものの、「積層挿入体」の両面がそれぞれ各「導電性層」と少なくとも物理的に結合していることは明らかである。
　してみると、引用発明の「素子（ＥＣ式防眩ミラー）」と、本願補正発明の「素子」とは、「電気的に絶縁する手段が、積層挿入体であって、積層挿入体のそれぞれの面が、第１および第２のスタックとそれぞれ結合される導電性層と結合され」ている点で一致する。
（８）引用発明は、「ＴＣ１（第１透明導電層２２）」、「ＥＣ１（第１ＥＣ層２３）」、「ＥＬ（電解質層２４）」、「ＥＣ２（第２ＥＣ層２５）」、「ＴＣ２（第２電極兼反射層２６）」、接着剤よりなる保護層２７、および保護基板２８が順次に成層されて裏側ＥＣ素子２１が構成され、「ＴＣ１（第１透明導電層３２）」、「ＥＣ１（第１ＥＣ層３３）」、「ＥＬ（電解質層３４）」、「ＥＣ２（第２ＥＣ層３５）」、「ＴＣ２（第２透明導電層３６）」、接着剤よりなる保護層３７、および透明保護基板３８が順次に成層されて表側ＥＣ素子３１が構成され、「エレクトロクロミック層の第１のスタック（第１ＥＣ層２３、電解質層２４、第２ＥＣ層２５）」及び「エレクトロクロミック層の第２のスタック（第１ＥＣ層３３、電解質層３４、第２ＥＣ層３５）」は「ＴＣ１」及び「ＴＣ２」と一体的な構造をなしているから、引用発明の「素子（ＥＣ式防眩ミラー）」と、本願補正発明の「素子」とは、「第１のスタックおよび第２のスタックが、ＴＣ１／ＥＣ１／ＥＬ／ＥＣ２／ＴＣ２構造を有するエレクトロクロミックスタックである」点で一致する。
　
（９）上記（１）ないし（８）からみて、本願補正発明と引用発明とは、
「可変の光学および／またはエネルギー特性を有し、エレクトロクロミック層の第１のスタックと結合される導電性層を備える第１の基板と、エレクトロクロミック層の第２のスタックと結合される導電性層を備える第２の基板とを含む、電気化学的な／電気的に制御可能な素子であって、前記第１および第２のスタックが、それらの表面の少なくとも一部分の上で、前記第１および第２のスタックの両方を光が通過するように積層され、積層挿入体である電気的に絶縁する手段によって分離され、
　第１および第２のスタックが、同じ供給部から電気を供給され、
　電気的に絶縁する手段が、積層挿入体であって、積層挿入体のそれぞれの面が、第１および第２のスタックとそれぞれ結合される導電性層と結合され、
　第１のスタックおよび第２のスタックが、ＴＣ１／ＥＣ１／ＥＬ／ＥＣ２／ＴＣ２構造を有するエレクトロクロミックスタックである、素子。」である点（以下、「一致点」という。）で一致し、次の点で相違する。
　
・相違点１：
　「第１の基板」及び「第２の基板」が、
　本願補正発明では、「キャリア基板」であるのに対し、
　引用発明では、保護基板である点。
　
・相違点２：
　「第１のスタック」及び「第２のスタック」が、
　本願補正発明では、「全固体」エレクトロクロミックスタックであるのに対し、
　引用発明では、「全固体」エレクトロクロミックスタックかどうかが不明である点。
　
５　判断
（１）上記相違点１について検討する。
　ア　引用発明は、透明ガラス基板２０の裏側に、第１透明導電層２２、第１ＥＣ層２３、電解質層２４、第２ＥＣ層２５、第２電極兼反射層２６、接着剤よりなる保護層２７、および保護基板２８が順次に成層されて裏側ＥＣ素子２１が構成され、前記透明ガラス基板２０の表側には、第１透明導電層３２、第１ＥＣ層３３、電解質層３４、第２ＥＣ層３５、第２透明導電層３６、接着剤よりなる保護層３７、および透明保護基板３８が順次に成層されて表側ＥＣ素子３１が構成されているものであるところ、要するに、引用発明において、透明ガラス基板２０の両面にエレクトロクロミック層のスタックが成層されていることから、該透明ガラス基板２０が、前記スタックを支持する支持基板、すなわちキャリア基板であるとも解される。
　しかしながら、引用例２の記載事項（上記３（２）イ参照。）は、ガラス又はプラスチックの如き透明支持体２２、２４及び４０の各支持体の間に、エレクトロクロミック層のスタックを設けたものにおいて、透明支持体２２及び２４がエレクトロクロミック層のスタックを支持しているものを開示しており、当該透明支持体２２，２４はスタックの支持だけでなく保護することも明らかであるところ、当該引用例２の記載事項をも考慮すれば、引用発明の「素子（ＥＣ式防眩ミラー）」の保護基板２８又は透明保護基板３８は、「導電性層（第１透明導電層、第２透明導電層、第２電極兼反射層）」を保護するとともに支持しているということができる。
　してみると、引用発明の保護基板２８又は透明保護基板３８は、「導電性層」を支持する支持基板、すなわちキャリア基板ということができるから、上記相違点１は実質的な相違点ではない。
　イ　仮に保護基板をキャリア基板といえないとしても、引用発明において、保護基板２８又は透明保護基板３８をキャリア基板となすこと、すなわち相違点１に係る本願補正発明の構成となすことは当業者が引用例２の記載事項に基づいて容易になし得たことである。
　
（２）上記相違点２について検討する。
　ア　引用発明は、ガラス基板１の上に第１電極として透明導電層２を設け、材質としては、例えばＩＴＯ（インヂュウム・スズ・酸化物）、ＳｎＯ2が用いられ、更にその上に、還元反応によって着色するＥＣ（例えばＷＯ3、ＭｏＯ3）の第１ＥＣ層３、電解質層（例えばＴａ2Ｏ5、ＺｒＯ2、ＳｉＯ2）４、酸化反応によって着色するＥＣ（例えばＣｒ2Ｏ3、ＮｉＯ、ＩｒＯ2）の第２ＥＣ層５、第２電極兼反射層（材質はＡｌ、Ａｇなど）６が順次に成層されているものであり、電解質層が無機酸化物からなるものであるところ、本願の明細書（【００１０】）に「電解質が、無機性層であるもの。このカテゴリは、用語「全固体（ａｌｌ　ｓｏｌｉｄ）」システムで呼ばれることが多く」と記載されていることに照らせば、引用発明の「第１のスタック」及び「第２のスタック」は「全固体」エレクトロクロミックスタックであるといえるから、上記相違点２は実質的な相違点ではない。
　イ　仮に引用発明の「第１のスタック」及び「第２のスタック」は「全固体」エレクトロクロミックスタックであるとはいえないとしても、上記３（３）エのとおり、本願の優先日前に、エレクトロクロミックシステムにおいて、全固体型のものは周知であるから、引用発明において、「第１のスタック」及び「第２のスタック」を「全固体」エレクトロクロミックスタックとなすこと、すなわち上記相違点２に係る本願補正発明の構成となすことは当業者が周知技術に基づいて適宜なし得たことである。
　
（３）なお、審判請求人は審判請求書において、
　「引用文献２は、自動車用ＥＣ（エレクトロクロミック）防眩ミラーを開示する。・・・さらに、本願請求項１に係る発明は、「電気的に絶縁する手段が、積層挿入体であって、積層挿入体のそれぞれの面が、第１および第２のスタックとそれぞれ結合される導電性層と結合され」る構成を備え、２つのエレクトロクロミック層のスタックは、積層挿入体を介してともに積層されるものである。積層挿入体上の電気接続自体は知られているが、本願請求項１に係る発明が備える上記構成の組み合わせは何ら知られていないものである。
　明細書の段落００１５に記載されるように、２つのエレクトロクロミック装置を並置することは米国特許第５０７６６７３号明細書から知られているが、当該米国特許は、２つの異なる独立したキャリア基板が、２つの異なる電源とともに使用されるべきであることを教示する。本願請求項１に係る発明において、２つの異なるキャリア基板が使用されるが、当該２つのキャリア基板をともに積層し、さらに積層挿入体が各スタックの頂部層の電気接続に使用されるため、本願請求項１に係る発明は、引用文献２にも米国特許第５０７６６７３号明細書にも教示されていないものである。」（審判請求書３頁２３行〜４３行）などと主張する。
　要するに、審判請求人は、本願補正発明において、「積層挿入体のそれぞれの面」と「導電性層」との「結合」が「電気接続」であると主張している。
　しかしながら、上記４（７）でも言及したように、本願補正発明では、「積層挿入体」はそもそも「電気的に絶縁する手段」であるから、「積層挿入体のそれぞれの面」が「導電性層」と電気的に結合することはあり得ない。
　そして、本願明細書の記載を参酌しても、「積層挿入体のそれぞれの面」と「導電性層」とが物理的に結合しているのは明らかであり、本願補正発明において、物理的な「結合」を排除したものではないから、審判請求人の前述の主張は本願補正発明の記載に基づいた主張ではない。
　以上のとおりであるから、審判請求人の主張を採用することはできない。
　
（４）本願補正発明の奏する効果は、引用発明の奏する効果、引用例２の記載事項の奏する効果及び周知技術の奏する効果から予測することができた程度のものである。
　
（５）よって、本願補正発明は、当業者が引用例１に記載された発明、引用例２の記載事項及び周知技術に基づいて容易に発明をすることができたものである。
　本願補正発明は、当業者が引用例１に記載された発明、引用例２の記載事項及び周知技術に基づいて容易に発明をすることができたものであるから、特許法第２９条第２項の規定により特許出願の際独立して特許を受けることができないものである。
　
６　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１ないし１４に係る発明は、平成２４年１２月６日に補正された特許請求の範囲の請求項１ないし１４に記載された事項によって特定されるものであるところ、そのうち請求項２に係る発明（以下「本願発明」という。）は、上記「第２〔理由〕１（１）」に本件補正前の請求項２として記載したとおりのものである。
　
２　引用例
　引用例及びその記載事項は、上記「第２〔理由〕３」に記載したとおりである。
　
３　対比・判断
　本願発明は、上記「第２〔理由〕１（２）」に記載したとおり、本願補正発明から、「積層挿入体」の「それぞれの面が、第１および第２のスタックとそれぞれ結合される導電性層と結合される」との限定事項、並びに、「第１のスタック」及び「第２のスタック」が「ＴＣ１／ＥＣ１／ＥＬ／ＥＣ２／ＴＣ２構造を有する「全固体」エレクトロクロミックスタックである」との限定事項を削除したものである。
　そうすると、本願発明と引用発明とは、上記「第２〔理由〕４（９）」に記載した相違点１で相違する。
　そして、引用発明において、相違点１に係る本願補正発明の構成となすことは、上記「第２〔理由〕５（１）」に記載したとおり、当業者が容易になし得たものであるから、本願発明は、当業者が引用例１に記載された発明及び引用例２の記載事項に基づいて容易に発明をすることができたものである。
　
４　むすび
　本願発明は、以上のとおり、当業者が引用例１に記載された発明及び引用例２の記載事項に基づいて容易に発明をすることができたものであるから、特許法第２９条第２項の規定により特許を受けることができない。
　したがって、本願は、他の請求項について検討するまでもなく、拒絶すべきものである。
　よって、結論のとおり審決する。